(57)【要約】  本発明は、手書き入力したオブジェクトの視認性を向上させることが可能な表示制御装置を提供することを目的とする。本発明による表示制御装置は、表示装置に対する地図の表示を制御する表示制御装置であって、表示装置に表示された地図に対するオブジェクトの手書き入力を受け付ける手書き入力部と、地図の表示形態または表示環境に応じてオブジェクトの表示形態を変化させるか否かを示す属性の有無を設定する属性設定部と、属性設定部で設定された属性の有無に基づいて、属性が有りの場合、地図の表示形態または表示環境に応じてオブジェクトの表示形態を変化させつつ、地図にオブジェクトを付加して表示装置に表示するよう制御する表示制御部とを備える。
2017138071.tif 000002
【特許請求の範囲】
【請求項１】
表示装置に対する地図の表示を制御する表示制御装置であって、
前記表示装置に表示された前記地図に対するオブジェクトの手書き入力を受け付ける手書き入力部と、
前記地図の表示形態または表示環境に応じて前記オブジェクトの表示形態を変化させるか否かを示す属性の有無を設定する属性設定部と、
前記属性設定部で設定された前記属性の有無に基づいて、前記属性が有りの場合、前記地図の表示形態または表示環境に応じて前記オブジェクトの表示形態を変化させつつ、前記地図に前記オブジェクトを付加して前記表示装置に表示するよう制御する表示制御部と、
を備える、表示制御装置。
【請求項２】
前記属性は、前記地図の表示形態である縮尺に応じて前記オブジェクトの表示形態である大きさを変化させるか否かを示す変化属性であり、
前記表示制御部は、前記変化属性が有りの場合、前記地図の縮尺に応じて前記オブジェクトの大きさを変化させることを特徴とする、請求項１に記載の表示制御装置。
【請求項３】
前記表示制御部は、前記変化属性が有りの場合、予め定められた前記地図の縮尺の範囲では前記オブジェクトの大きさを変化させ、それ以外の縮尺の範囲では前記オブジェクトの大きさを変化させないことを特徴とする、請求項２に記載の表示制御装置。
【請求項４】
前記属性は、前記地図の表示環境に応じて前記オブジェクトの表示形態である色を変化させるか否かを示す色情報属性であり、
前記表示制御部は、前記色情報属性が有りの場合、前記地図の表示環境に応じて前記オブジェクトの色を変化させることを特徴とする、請求項１に記載の表示制御装置。
【請求項５】
前記地図の表示環境は、前記地図を表示する時間帯であることを特徴とする、請求項４に記載の表示制御装置。
【請求項６】
表示装置に対する地図の表示を制御する表示制御方法であって、
前記表示装置に表示された前記地図に対するオブジェクトの手書き入力を受け付け、
前記地図の表示形態または表示環境に応じて前記オブジェクトの表示形態を変化させるか否かを示す属性の有無を設定し、
前記設定された前記属性の有無に基づいて、前記属性が有りの場合、前記地図の表示形態または表示環境に応じて前記オブジェクトの表示形態を変化させつつ、前記地図に前記オブジェクトを付加して前記表示装置に表示するよう制御する、表示制御方法。
【発明の詳細な説明】
【技術分野】
【０００１】
本発明は、表示装置に地図を表示するに際し、手書き入力したオブジェクトを付加して表示する表示制御装置に関する。
【背景技術】
【０００２】
従来、表示装置に表示された地図にオブジェクトを手書き入力し、当該手書き入力したオブジェクトの大きさを地図の縮尺に合わせて変化させる技術が開示されている（例えば、特許文献１参照）。
【先行技術文献】
【特許文献】
【０００３】
【特許文献１】特開２０１４−１７４７２５号公報
【発明の概要】
【発明が解決しようとする課題】
【０００４】
特許文献１では、手書き入力したオブジェクトの大きさを地図の縮尺に合わせて一律に変化させているため、例えば手書き入力したオブジェクトが小さくなった場合に視認性が悪くなる可能性がある。【０００５】
本発明は、このような問題を解決するためになされたものであり、手書き入力したオブジェクトの視認性を向上させることが可能な表示制御装置を提供することを目的とする。
【課題を解決するための手段】
【０００６】
上記の課題を解決するために、本発明による表示制御装置は、表示装置に対する地図の表示を制御する表示制御装置であって、表示装置に表示された地図に対するオブジェクトの手書き入力を受け付ける手書き入力部と、地図の表示形態または表示環境に応じてオブジェクトの表示形態を変化させるか否かを示す属性の有無を設定する属性設定部と、属性設定部で設定された属性の有無に基づいて、属性が有りの場合、地図の表示形態または表示環境に応じてオブジェクトの表示形態を変化させつつ、地図にオブジェクトを付加して表示装置に表示するよう制御する表示制御部とを備える。【０００７】
また、本発明による表示制御方法は、表示装置に対する地図の表示を制御する表示制御方法であって、表示装置に表示された地図に対するオブジェクトの手書き入力を受け付け、地図の表示形態または表示環境に応じてオブジェクトの表示形態を変化させるか否かを示す属性の有無を設定し、設定された属性の有無に基づいて、属性が有りの場合、地図の表示形態または表示環境に応じてオブジェクトの表示形態を変化させつつ、地図にオブジェクトを付加して表示装置に表示するよう制御する。
【発明の効果】
【０００８】
本発明によると、表示制御装置は、表示装置に対する地図の表示を制御する表示制御装置であって、表示装置に表示された地図に対するオブジェクトの手書き入力を受け付ける手書き入力部と、地図の表示形態または表示環境に応じてオブジェクトの表示形態を変化させるか否かを示す属性の有無を設定する属性設定部と、属性設定部で設定された属性の有無に基づいて、属性が有りの場合、地図の表示形態または表示環境に応じてオブジェクトの表示形態を変化させつつ、地図にオブジェクトを付加して表示装置に表示するよう制御する表示制御部とを備えるため、手書き入力したオブジェクトの視認性を向上させることが可能となる。【０００９】
また、表示制御方法は、表示装置に対する地図の表示を制御する表示制御方法であって、表示装置に表示された地図に対するオブジェクトの手書き入力を受け付け、地図の表示形態または表示環境に応じてオブジェクトの表示形態を変化させるか否かを示す属性の有無を設定し、設定された属性の有無に基づいて、属性が有りの場合、地図の表示形態または表示環境に応じてオブジェクトの表示形態を変化させつつ、地図にオブジェクトを付加して表示装置に表示するよう制御するため、手書き入力したオブジェクトの視認性を向上させることが可能となる。【００１０】
本発明の目的、特徴、態様、および利点は、以下の詳細な説明と添付図面とによって、より明白となる。
【図面の簡単な説明】
【００１１】
【図１】本発明の実施の形態１による表示制御装置の構成の一例を示すブロック図である。
【図２】本発明の実施の形態１による表示制御装置のハードウェア構成の一例を示すブロック図である。
【図３】本発明の実施の形態１による表示制御装置の構成の一例を示すブロック図である。
【図４】本発明の実施の形態１による表示制御装置のハードウェア構成の一例を示すブロック図である。
【図５】本発明の実施の形態１による表示制御装置の動作の一例を示すフローチャートである。
【図６】本発明の実施の形態１による手書き入力の一例を示す図である。
【図７】本発明の実施の形態１による手書き入力の一例を示す図である。
【図８】本発明の実施の形態１による設定された変化属性等の一例を示す図である。
【図９】本発明の実施の形態１による表示制御装置の動作の一例を示すフローチャートである。
【図１０】本発明の実施の形態１による地図の表示の一例を示す図である。
【図１１】本発明の実施の形態１による地図の表示の一例を示す図である。
【図１２】本発明の実施の形態１による地図の表示の一例を示す図である。
【図１３】本発明の実施の形態２による表示制御装置の動作の一例を示すフローチャートである。
【図１４】本発明の実施の形態２による設定された色情報属性等の一例を示す図である。
【図１５】本発明の実施の形態２による表示制御装置の動作の一例を示すフローチャートである。
【図１６】本発明の実施の形態による表示制御システムの構成の一例を示すブロック図である。
【図１７】本発明の実施の形態による表示制御システムの構成の一例を示すブロック図である。
【発明を実施するための形態】
【００１２】
本発明の実施の形態について、図面に基づいて以下に説明する。
【００１３】
＜実施の形態１＞
＜構成＞
本発明の実施の形態による表示制御装置の構成について説明する。
【００１４】
図１は、本実施の形態１による表示制御装置１の構成の一例を示すブロック図である。図２は、表示制御装置１のハードウェア構成の一例を示すブロック図である。
【００１５】
図１に示すように、表示制御装置１は、情報取得部２と、制御部３と、ユーザインターフェース部４とを備えている。
【００１６】
情報取得部２は、地図情報取得部５を有している。地図情報取得部５は、地図情報を取得する。なお、地図情報取得部５は、通信装置１４を介して外部から車外通信情報として地図情報を取得し、取得した地図情報を記憶装置１３に記憶してもよい。また、地図情報は、記憶装置１３に予め記憶しておいてもよい。記憶装置１３としては、例えばＳＤ（登録商標）、ＨＤＤ（Hard Disk Drive）、フラッシュメモリなどが挙げられる。通信装置１４は、種々の情報を通信によって送受信可能であるものとする。
【００１７】
制御部３は、手書き入力部６と、属性設定部７と、表示制御部８とを有している。手書き入力部６は、表示装置１５に表示された地図に対して、ユーザが入力装置１６を用いて手書き入力したオブジェクトを受け付ける。表示装置１５としては、例えば液晶ディスプレイなどが挙げられる。入力装置１６としては、例えば液晶ディスプレイ上に配置されたタッチパネルなどが挙げられるが、手書き入力可能なものであればよい。
【００１８】
属性設定部７は、地図の表示形態または表示環境に応じて、手書き入力したオブジェクトの表示形態を変化させるか否かを示す属性の有無を設定する。表示制御部８は、属性設定部７で設定された属性の有無に基づいて、属性が有りの場合、地図の表示形態または表示環境に応じてオブジェクトの表示形態を変化させつつ、地図にオブジェクトを付加して表示装置１５に表示するよう制御する。
【００１９】
ユーザインターフェース部４は、画像表示出力部９と、入力部１０とを有している。画像表示出力部９は、表示制御部８の制御に従って画像（例えば、少なくとも地図および手書き入力したオブジェクトのうちの一方）を表示装置１５に出力する。入力部１０は、ユーザが入力装置１６を用いて入力した情報を受け付ける。
【００２０】
表示制御装置１における地図情報取得部５、手書き入力部６、属性設定部７、表示制御部８、画像表示出力部９、および入力部１０の各機能は、処理回路により実現される。すなわち、表示制御装置１は、地図情報を取得し、手書き入力したオブジェクトを受け付け、属性の有無を設定し、属性が有りの場合、地図の表示形態または表示環境に応じてオブジェクトの表示形態を変化させつつ、地図にオブジェクトを付加して表示装置１５に表示するよう制御し、画像を表示装置１５に出力し、ユーザが入力装置１６を用いて入力した情報を受け付けるための処理回路を備える。処理回路は、メモリ１２に格納されるプログラムを実行するＣＰＵ（Central Processing Unit）１１（中央処理装置、処理装置、演算装置、マイクロプロセッサ、マイクロコンピュータ、ＤＳＰ（Digital Signal Processor）ともいう）である。
【００２１】
表示制御装置１における地図情報取得部５、手書き入力部６、属性設定部７、表示制御部８、画像表示出力部９、および入力部１０の各機能は、ソフトウェア、ファームウェア、またはソフトウェアとファームウェアとの組み合わせにより実現される。ソフトウェアまたはファームウェアは、プログラムとして記述され、メモリ１２に格納される。処理回路は、メモリ１２に記憶されたプログラムを読み出して実行することにより、各部の機能を実現する。すなわち、表示制御装置１は、地図情報を取得するステップ、手書き入力したオブジェクトを受け付けるステップ、属性の有無を設定するステップ、属性が有りの場合、地図の表示形態または表示環境に応じてオブジェクトの表示形態を変化させつつ、地図にオブジェクトを付加して表示装置１５に表示するよう制御するステップ、画像を表示装置１５に出力するステップ、ユーザが入力装置１６を用いて入力した情報を受け付けるステップが結果的に実行されることになるプログラムを格納するためのメモリ１２を備える。また、これらのプログラムは、地図情報取得部５、手書き入力部６、属性設定部７、表示制御部８、画像表示出力部９、および入力部１０の手順または方法をコンピュータに実行させるものであるともいえる。ここで、メモリとは、例えば、ＲＡＭ（Random Access Memory）、ＲＯＭ（Read Only Memory）、フラッシュメモリ、ＥＰＲＯＭ（Erasable Programmable Read Only Memory）、ＥＥＰＲＯＭ（Electrically Erasable Programmable Read Only Memory）等の不揮発性または揮発性の半導体メモリ、磁気ディスク、フレキシブルディスク、光ディスク等が該当する。
【００２２】
図３は、表示制御装置１７の構成の一例を示すブロック図であり、図１の表示制御装置１をナビゲーション装置に適用した場合の一例を示す図である。図４は、表示制御装置１７のハードウェア構成の一例を示すブロック図である。以下では、図１の表示制御装置１に対して新たに追加された図３の表示制御装置１７の構成要素について主に説明する。
【００２３】
情報取得部２は、地図情報取得部５と、車速情報取得部１８と、交通情報取得部１９と、自車位置情報取得部２０とを有している。車速情報取得部１８は、表示制御装置１７が搭載されている車両（自車両）に設けられた車速センサから車速情報を取得する。交通情報取得部１９は、通信装置１４を介して、外部から車外通信情報として交通情報を取得する。自車位置情報取得部２０は、例えばＧＰＳ（Global Positioning System）を用いて、自車両の現在の位置情報を取得する。
【００２４】
制御部３は、手書き入力部６と、属性設定部７と、表示制御部８と、自車位置判断部２１と、ルート計算部２２とを有している。自車位置判断部２１は、自車位置情報取得部２０が取得した自車両の現在の位置情報と、地図情報取得部５が取得した地図情報とに基づいて、地図上における自車両の現在位置を判断する。ルート計算部２２は、自車位置判断部２１が判断した自車位置と、ユーザが入力装置１６を用いて設定した目的地までのルートを計算する。
【００２５】
ユーザインターフェース部４は、画像表示出力部９と、入力部１０と、音声出力部２３とを有している。音声出力部２３は、例えば、ルート計算部２２で計算されたルートに基づいてユーザを目的地まで案内するための音声案内情報を音声出力装置２４に出力する。
【００２６】
表示制御装置１７における車速情報取得部１８、交通情報取得部１９、自車位置情報取得部２０、自車位置判断部２１、ルート計算部２２、および音声出力部２３の各機能は、処理回路により実現される。すなわち、表示制御装置１７は、速度情報を取得し、交通情報を取得し、地図上における自車両の現在位置を判断し、ルートを計算するための処理回路を備える。処理回路は、メモリ１２に格納されるプログラムを実行するＣＰＵ１１である。
【００２７】
表示制御装置１７における車速情報取得部１８、交通情報取得部１９、自車位置情報取得部２０、自車位置判断部２１、ルート計算部２２、および音声出力部２３の各機能は、ソフトウェア、ファームウェア、またはソフトウェアとファームウェアとの組み合わせにより実現される。ソフトウェアまたはファームウェアは、プログラムとして記述され、メモリ１２に格納される。処理回路は、メモリ１２に記憶されたプログラムを読み出して実行することにより、各部の機能を実現する。すなわち、表示制御装置１７は、速度情報を取得するステップ、交通情報を取得するステップ、地図上における自車両の現在位置を判断するステップ、ルートを計算するステップが結果的に実行されることになるプログラムを格納するためのメモリ１２を備える。また、これらのプログラムは、車速情報取得部１８、交通情報取得部１９、自車位置情報取得部２０、自車位置判断部２１、ルート計算部２２、および音声出力部２３の手順または方法をコンピュータに実行させるものであるともいえる。ここで、メモリとは、例えば、ＲＡＭ、ＲＯＭ、フラッシュメモリ、ＥＰＲＯＭ、ＥＥＰＲＯＭ等の不揮発性または揮発性の半導体メモリ、磁気ディスク、フレキシブルディスク、光ディスク等が該当する。
【００２８】
＜動作＞
次に、本実施の形態１による表示制御装置の動作について説明する。なお、以下では、表示制御装置１（図１参照）の動作について説明するが、表示制御装置１７（図３参照）についても同様である。また、本実施の形態１では、地図の表示形態に応じて手書き入力したオブジェクトの表示形態を変化させる場合について説明する。
【００２９】
図５は、本実施の形態１による表示制御装置１の動作の一例を示すフローチャートであり、ユーザが地図に対してオブジェクトを手書き入力する時の動作の一例を示している。
【００３０】
ステップＳ１１において、ユーザは、入力装置１６を操作して手書き入力モードを起動する。このとき、表示装置１５には地図が表示されている。
【００３１】
ステップＳ１２において、手書き入力部６は、地図に対するオブジェクトの手書き入力を受け付ける。具体的には、ユーザは、表示装置１５に表示されている地図に対して、入力装置１６を操作してオブジェクトを手書き入力する。図６，７は、手書き入力の一例を示す図である。図６は、地図上に建物マーク２５が手書き入力された状態を示している。図７は、地図上にランドマーク２６が手書き入力された状態を示している。
【００３２】
ステップＳ１３において、手書き入力部６は、手書き入力されたオブジェクト（建物マーク２５またはランドマーク２６）を記憶装置１３に記憶する。なお、オブジェクトは、地図における位置情報に対応付けて記憶装置１３に記憶されるものとする。
【００３３】
ステップＳ１４において、属性設定部７は、地図の表示形態に応じて手書き入力されたオブジェクトの表示形態である大きさを変化させるか否かを示す変化属性をユーザが設定したか否かを判断する。具体的には、ユーザは、手書き入力したオブジェクトごとに変化属性を設定する。変化属性は、例えば表示装置１５に表示された選択画面において、ユーザが変化属性の「あり」または「なし」を選択することによって設定してもよいが、これに限るものではない。ここで、変化属性が「あり」のオブジェクトとしては、ビルなどの建物（例えば図６の建物マーク２５）、および道路線などが挙げられる。変化属性が「なし」のオブジェクトとしては、ランドマーク（例えば図７のランドマーク２６）および交通規制マークなどが挙げられる。
【００３４】
ステップＳ１５において、属性設定部７は、ユーザが設定した変化属性を記憶装置１３に記憶する（図８参照）。なお、図８において、オブジェクト１は図６建物マーク２５に相当し、オブジェクト２は図７のランドマーク２６に相当する。
【００３５】
ステップＳ１６において、属性設定部７は、変化属性を「あり」と設定したオブジェクトについて、ユーザが縮尺および倍率を設定したか否かを判断する。具体的には、例えばユーザは、地図の縮尺に応じて、手書き入力したオブジェクトの大きさを基準とした倍率を設定する。例えば、地図の縮尺が「１００ｍ」のときはオブジェクトの倍率を「１．０」と設定し、地図の縮尺が「２００ｍ」のときはオブジェクトの倍率を「０．５」と設定し、地図の縮尺が「５０ｍ」のときはオブジェクトの倍率を「２．０」と設定する。
【００３６】
なお、オブジェクトの縮尺および倍率は、例えば表示装置１５に表示された選択画面において、ユーザがオブジェクトの縮尺および倍率を選択（または直接入力）することによって設定してもよいが、これに限るものではない。例えば、基準となる縮尺および倍率を設定し、縮尺の変化の比率に応じてオブジェクトの大きさ（倍率）自動的に計算するようにしてもよい。
【００３７】
ステップＳ１７において、属性設定部７は、ユーザが設定した縮尺および倍率を記憶装置１３に記憶する（図８参照）。
【００３８】
図９は、本実施の形態１による表示制御装置１の動作の一例を示すフローチャートであり、ユーザが手書き入力したオブジェクトを地図に付加して表示装置１５に表示する時の動作の一例を示している。
【００３９】
ステップＳ２１において、表示制御部８は、ユーザが手書き入力したオブジェクトを地図に付加して表示装置１５に表示する処理を開始する。具体的には、表示制御部８は、記憶装置１３に記憶されたオブジェクトに対応する位置の地図を表示装置１５に表示する時に、地図にオブジェクトを付加して表示装置１５に表示する処理を開始する。
【００４０】
ステップＳ２２において、表示制御部８は、地図に付加するオブジェクトに対して変化属性が設定されているか否かを判断する。オブジェクトに対して変化属性が設定されている場合は、ステップＳ２３に移行する。一方、オブジェクトに対して変化属性が設定されていない場合は、ステップＳ２４に移行する。
【００４１】
ステップＳ２３において、表示制御部８は、設定した縮尺および倍率に基づいてオブジェクトを地図に付加して表示装置１５に表示するよう画像表示出力部９を制御する。すなわち、表示制御部８は、地図の表示形態に応じてオブジェクトの表示形態を変化させつつ、地図にオブジェクトを付加して表示装置１５に表示するよう画像表示出力部９を制御する。図１０，１１は、地図にオブジェクト（建物マーク２５）を付加して表示装置１５に表示する場合の一例を示す図である。なお、ここでは、建物マーク２５は図８のオブジェクト１であるものとする。図１０に示すように、地図の縮尺が「２００ｍ」である場合において、建物マーク２５は手書き入力時（図６参照）の０．５倍の大きさで表示される。また、図１１に示すように、地図の縮尺が「５０ｍ」である場合において、建物マーク２５は手書き時の２．０倍の大きさで表示される。
【００４２】
ステップＳ２４において、表示制御部８は、手書き入力時のオブジェクトを地図に付加して表示装置１５に表示するよう画像表示出力部９を制御する。図１２は、地図にオブジェクト（ランドマーク２６）を付加して表示装置１５に表示する場合の一例を示す図である。なお、ここでは、ランドマーク２６は図８のオブジェクト２であるものとする。図１２に示すように、地図の縮尺が例えば「２００ｍ」である場合において、ランドマーク２６は手書き入力時と同じ大きさで表示される。すなわち、地図の縮尺（表示形態）が変化しても、地図に付加されるオブジェクトの大きさは変わらない。
【００４３】
以上のことから、本実施の形態１によれば、手書き入力したオブジェクトごとに、当該オブジェクトの大きさを地図の縮尺に合わせて変化させるか否かを設定している。従って、地図の縮尺に応じて手書き入力したオブジェクトの大きさを一律に変化させる場合よりも、手書き入力したオブジェクトの視認性を向上させることが可能となる。
【００４４】
＜変形例＞
例えば、地図の縮尺を小さくするのに応じて手書き入力したオブジェクトの大きさを小さくしようとすると、ある縮尺よりも縮尺が小さくなるとオブジェクトが見えづらくなり、オブジェクトの視認性が悪くなる場合がある。このような場合の対策として、ある縮尺まではオブジェクトの大きさを小さくし、それよりも縮尺が小さいときはオブジェクトの大きさをさらに小さくすることなく一定となるような設定をしてもよい。
【００４５】
具体的には、例えば表示装置１５に表示された選択画面において、ユーザが変化属性の「あり」、「なし」、または「可変」を選択することによって設定するようにしてもよい（図５のステップＳ１４参照）。ユーザが「可変」を選択した場合は、オブジェクトの大きさを可変とする地図の縮尺の範囲、およびオブジェクトの大きさを一定とする地図の縮尺の範囲を設定する。
【００４６】
上記の設定を行うことによって、手書き入力したオブジェクトの視認性をさらに向上させることが可能となる。
【００４７】
＜実施の形態２＞
本発明の実施の形態２では、地図の表示環境に応じて手書き入力したオブジェクトの表示形態を変化させる場合について説明する。なお、主な構成は実施の形態１（図１，３参照）と同様であるため、ここでは詳細な説明を省略する。以下では、表示制御装置１（図１参照）の動作について説明するが、表示制御装置１７（図３参照）についても同様である。
【００４８】
図１３は、本実施の形態２による表示制御装置１の動作の一例を示すフローチャートであり、ユーザが地図に対してオブジェクトを手書き入力する時の動作の一例を示している。なお、図１３のステップＳ３１〜ステップＳ３３は、図５のステップＳ１１〜ステップＳ１３に対応しているため、ここでは説明を省略する。以下では、ステップＳ３４〜ステップＳ３９について説明する。
【００４９】
ステップＳ３４において、属性設定部７は、地図の表示環境に応じて手書き入力されたオブジェクトの表示形態である色を変化させるか否かを示す色情報属性をユーザが設定したか否かを判断する。具体的には、ユーザは、手書き入力したオブジェクトごとに色情報属性を設定する。色情報属性は、例えば表示装置１５に表示された選択画面において、ユーザが色情報属性の「あり」または「なし」を選択することによって設定してもよいが、これに限るものではない。
【００５０】
ステップＳ３５において、属性設定部７は、ユーザが設定した色情報属性を記憶装置１３に記憶する（図１４参照）。
【００５１】
ステップＳ３６において、属性設定部７は、色情報属性を「あり」と設定したオブジェクトについて、ユーザが色を設定したか否かを判断する。例えば、ユーザは、表示装置１５に表示された選択画面において、オブジェクトの色を選択することによって設定してもよいが、これに限るものではない。
【００５２】
ステップＳ３７において、属性設定部７は、ユーザが設定した色を記憶装置１３に記憶する（図１４参照）。
【００５３】
ステップＳ３８において、属性設定部７は、色情報属性を「あり」と設定したオブジェクトについて、ユーザが表示モードを設定したか否かを判断する。例えば、ユーザは、表示装置１５に表示された選択画面において、オブジェクトの表示モードを選択することによって設定してもよいが、これに限るものではない。ここで、表示モードは、ステップＳ３６で設定された色でオブジェクトを表示する時間帯を示す。本実施の形態２では、表示モードとして「昼」および「夜」を一例として示しているが（図１４参照）、これに限るものではない。例えば「朝」および「夕方」などを表示モードに含めてもよい。
【００５４】
ステップＳ３９において、属性設定部７は、ユーザが設定した表示モードを記憶装置１３に記憶する（図１４）。
【００５５】
図１５は、本実施の形態２による表示制御装置１の動作の一例を示すフローチャートであり、ユーザが手書き入力したオブジェクトを地図に付加して表示装置１５に表示する時の動作の一例を示している。なお、図１５のステップＳ４１は、図９のステップＳ２１に対応しているため、ここでは説明を省略する。以下では、ステップＳ４２〜ステップＳ４４について説明する。
【００５６】
ステップＳ４２において、表示制御部８は、地図に付加するオブジェクトに対して色情報属性が設定されているか否かを判断する。オブジェクトに対して色情報属性が設定されている場合は、ステップＳ４３に移行する。一方、オブジェクトに対して色情報属性が設定されていない場合は、ステップＳ４４に移行する。
【００５７】
ステップＳ４３において、表示制御部８は、設定した色および表示モードに基づいてオブジェクトを地図に付加して表示装置１５に表示するよう画像表示出力部９を制御する。すなわち、表示制御部８は、地図の表示環境に応じてオブジェクトの表示形態を変化させつつ、地図にオブジェクトを付加して表示装置１５に表示するよう画像表示出力部９を制御する。例えば、図１４のオブジェクト１を地図に付加して表示装置１５に表示する場合において、表示制御部８は、表示モードが「昼」のときは「赤」色のオブジェクト１を表示するよう制御し、表示モードが「夜」のときは「青」色のオブジェクト１を表示するよう制御する。
【００５８】
なお、オブジェクト１を表示する際の表示モードを判断する方法としては、例えば自車両のヘッドライトがＯＮのときを「夜」とし、ＯＦＦのときを「昼」としてもよい。また、予め定められた時間帯に応じて「昼」と「夜」とを区別してもよい。また、照度センサで外の明るさを検出し、検出結果に基づいて「昼」と「夜」とを区別してもよい。
【００５９】
ステップＳ４４において、表示制御部８は、手書き入力時のオブジェクトを地図に付加して表示装置１５に表示するよう画像表示出力部９を制御する。この場合、地図の表示環境が変化しても、地図に付加されるオブジェクトの色は変わらない。
【００６０】
以上のことから、本実施の形態２によれば、手書き入力したオブジェクトごとに、当該オブジェクトの色を地図の表示環境に合わせて変化させるか否かを設定している。一般的に地図は、その背景色が表示環境（例えば、朝、昼、夕方、夜）によって変わることが多い。従って、地図の表示環境に合わせてオブジェクトの色を変化させることによって、オブジェクトの視認性を向上させることが可能となる。
【００６１】
＜変形例＞
実施の形態１，２を組み合わせることも可能である。すなわち、ユーザは、オブジェクトを手書き入力した際に、当該オブジェクトの変化属性および色情報属性を設定してもよい。この場合、オブジェクトの視認性をより向上させることが可能となる。
【００６２】
以上で説明した表示制御装置は、車載用ナビゲーション装置、すなわちカーナビゲーション装置だけでなく、車両に搭載可能なＰＮＤ（Portable Navigation Device）および携帯通信端末（例えば、携帯電話、スマートフォン、およびタブレット端末など）、並びにサーバなどを適宜に組み合わせてシステムとして構築されるナビゲーション装置にも適用することができる。この場合、表示制御装置の各機能あるいは各構成要素は、上記システムを構築する各機能に分散して配置される。
【００６３】
具体的には、一例として、表示制御装置の機能をサーバに配置することができる。例えば、図１６に示すように、ユーザ側に表示装置１５および入力装置１６を備え、サーバ２７に情報取得部２、制御部３、ユーザインターフェース部４、地図情報取得部５、手書き入力部６、属性設定部７、表示制御部８、画像表示出力部９、および入力部１０を備えることによって表示制御システムを構築することができる。なお、図３に示す各構成要素についても同様である。
【００６４】
また、他の一例として、表示制御装置の機能をサーバおよび携帯通信端末に配置することができる。例えば、図１７に示すように、ユーザ側に表示装置１５および入力装置１６を備え、サーバ２８に制御部３、ユーザインターフェース部４、手書き入力部６、属性設定部７、表示制御部８、画像表示出力部９、および入力部１０を備え、携帯通信端末２９に情報取得部２および地図情報取得部５を備えることによって表示制御システムを構築することができる。なお、図３に示す各構成要素についても同様である。
【００６５】
上記の構成とした場合であっても、上記の実施の形態と同様の効果が得られる。
【００６６】
また、上記の実施の形態における動作を実行するソフトウェア（表示制御方法）を、例えばサーバまたは携帯通信端末に組み込んでもよい。
【００６７】
具体的には、一例として、上記の表示制御方法は、表示装置に表示された地図に対するオブジェクトの手書き入力を受け付け、地図の表示形態または表示環境に応じてオブジェクトの表示形態を変化させるか否かを示す属性の有無を設定し、設定された属性の有無に基づいて、属性が有りの場合、地図の表示形態または表示環境に応じてオブジェクトの表示形態を変化させつつ、地図にオブジェクトを付加して表示装置に表示するよう制御する。
【００６８】
上記より、上記の実施の形態における動作を実行するソフトウェアをサーバまたは携帯通信端末に組み込んで動作させることによって、上記の実施の形態と同様の効果が得られる。
【００６９】
なお、実施の形態１，２において、手書き入力時に、オブジェクトの線幅、色などをデフォルトとして設定してもよい。手書き入力したオブジェクトに属性が設定されていない場合（図９のステップＳ２４、図１５のステップＳ４４参照）は、デフォルトとして設定されたオブジェクトが表示される。
【００７０】
なお、本発明は、その発明の範囲内において、各実施の形態を自由に組み合わせたり、各実施の形態を適宜、変形、省略することが可能である。
【００７１】
本発明は詳細に説明されたが、上記した説明は、すべての態様において、例示であって、この発明がそれに限定されるものではない。例示されていない無数の変形例が、この発明の範囲から外れることなく想定され得るものと解される。
【符号の説明】
【００７２】
１  表示制御装置、２  情報取得部、３  制御部、４  ユーザインターフェース部、５  地図情報取得部、６  手書き入力部、７  属性設定部、８  表示制御部、９  画像表示出力部、１０  入力部、１１  ＣＰＵ、１２  メモリ、１３  記憶装置、１４  通信装置、１５  表示装置、１６  入力装置、１７  表示制御装置、１８  車速情報取得部、１９  交通情報取得部、２０  自車位置情報取得部、２１  自車位置判断部、２２  ルート計算部、２３  音声出力部、２４  音声出力装置、２５  建物マーク、２６  ランドマーク、２７，２８  サーバ、２９  携帯通信端末。
【図１】
2017138071.tif 000003
【図２】
2017138071.tif 000004
【図３】
2017138071.tif 000005
【図４】
2017138071.tif 000006
【図５】
2017138071.tif 000007
【図６】
2017138071.tif 000008
【図７】
2017138071.tif 000009
【図８】
2017138071.tif 000010
【図９】
2017138071.tif 000011
【図１０】
2017138071.tif 000012
【図１１】
2017138071.tif 000013
【図１２】
2017138071.tif 000014
【図１３】
2017138071.tif 000015
【図１４】
2017138071.tif 000016
【図１５】
2017138071.tif 000017
【図１６】
2017138071.tif 000018
【図１７】
2017138071.tif 000019
【国際調査報告】
2017138071.tif 000020
2017138071.tif 000021
2017138071.tif 000022
2017138071.tif 000023